(57)【要約】【課題】通常操作時にはその計測手順を記憶しておき、計測操作に精通していない者が操作する場合に、記憶した計測手順を元に次の計測動作を推測して表示すことで、計測を補佐することができる超音波診断装置を提供する。【解決手段】計測動作指令が入力される操作卓１と、被検体の部位の計測動作を行う計測制御部２と、計測ラベル列を記憶する計測ラベル一時記憶部３と、過去の計測手順を示す計測手順ラベル、および計測手順が過去に実施された計測回数を保存する計測手順ライブラリ４と、計測ラベル一時記憶部に記憶された計測ラベル列を含む計測手順ライブラリに保存された全ての計測手順ラベルを抽出するマッチング部５と、マッチング部が抽出した計測手順ラベルに基づいて、次の計測動作候補に対応する計測ラベルを表示する表示部６とを備え、次の計測動作に対応する計測ラベルが選択されることにより、計測動作指令が入力される。【選択図】図１
2007167303.tif 000002
【特許請求の範囲】
【請求項１】
計測動作指令が入力される操作卓と、
前記計測動作指令に基づいて、被検体の部位の計測動作を行う計測制御部と、
前記計測動作の内容を示す計測ラベルを前記計測動作指令が入力された順に並べた計測ラベル列を記憶する計測ラベル一時記憶部と、
過去の計測手順を計測ラベルを並べて示す計測手順ラベル、および前記計測手順が過去に実施された計測回数を保存する計測手順ライブラリと、
前記計測ラベル一時記憶部に記憶された計測ラベル列を含む前記計測手順ライブラリに保存された全ての計測手順ラベルを抽出するマッチング部と、
前記マッチング部が抽出した計測手順ラベルに基づいて、次の計測動作候補に対応する計測ラベルを表示する表示部とを備え、
前記次の計測動作に対応する計測ラベルが選択されることにより、前記計測動作指令が入力されることを特徴とする超音波診断装置。
【請求項２】
前記次の計測動作に対応する計測ラベルは、前記計測手順ラベルとして前記表示部に表示される請求項１記載の超音波診断装置。
【請求項３】
計測終了時に、前記計測ラベル一時記憶部に記憶された計測ラベル列を新たな計測手順ラベルとし、前記新たな計測手順ラベルと同じ計測手順ラベルが、前記計測手順ライブラリに保存されていれば前記計測手順ラベルの計測回数を１増やし、前記計測手順ライブラリに保存されていなければ前記新たな計測手順ラベルを、計測回数を１として保存する請求項１記載の超音波診断装置。
【請求項４】
前記次に行われる計測動作に対応する計測ラベルは、対応する計測手順ラベルの計測回数が多い順に前記表示部に表示される請求項１〜３のいずれか一項に記載の超音波診断装置。
【請求項５】
計測時に前記マッチング部を動作させるか否かを指示するナビゲートキーをさらに備えた請求項１〜４のいずれか一項に記載の超音波診断装置。
【発明の詳細な説明】
【技術分野】
【０００１】
本発明は、計測手順を推測することにより、定常的な計測を支援する超音波診断装置に関する。
【背景技術】
【０００２】
超音波診断装置の使用として、計測は定常的な操作である。しかし、現在の超音波診断装置は、より多くの計測部位や計測方法に対応するために、多数の計測手順に対応している。そのため、表示装置には、計測手順に対応した計測ラベルが多数表示され、計測に精通していない者には操作が困難である。
【０００３】
この問題を解決するために、計測手順を表示可能な超音波診断装置が提案されている（例えば、特許文献１、２参照）。図６は、計測手順を表示可能な超音波診断装置の一構成例を示すブロック図である。操作卓１０１は、操作者が指令を入力するためのものである。計測制御部１０２は、超音波探触子を有し、操作卓１０１からの指令に基づいて、被検体の超音波画像データを取得する。計測手順入力部１０３は、操作者が計測手順ライブラリ１０４に計測手順を入力するためのものである。マッチング部１０５は、計測手順ライブラリ１０４から計測手順を読み出し、操作卓１０１からの指令と比較する。表示部１０６は、計測制御部１０２からの超音波画像データを超音波画像として表示し、マッチング部１０５からの計測手順をラベル表示する。
【０００４】
図７は、表示部１０６に表示された超音波画像と計測手順を示す図である。超音波画像１１１と並列に、あらかじめ設定された計測手順ラベル１１２を表示する。操作者は、この計測手順１１２に基づいて部位の計測を行う。
【特許文献１】特開平９−１９２１２７号公報
【特許文献２】特開２００１−１３７２３７号公報
【発明の開示】
【発明が解決しようとする課題】
【０００５】
しかしながら、上記従来の超音波診断装置は、計測手順ラベルを表示するために、あらかじめ、熟練した者が通常操作とは別に、計測手順を入力しなければならない。
【０００６】
本発明は、従来の問題を解決するために、計測操作に精通していない者が操作する場合に、計測を支援する超音波診断装置を提供することを目的とする。
【課題を解決するための手段】
【０００７】
上記目的を達成するために、本発明の超音波診断装置は、計測動作指令が入力される操作卓と、前記計測動作指令に基づいて、被検体の部位の計測動作を行う計測制御部と、前記計測動作の内容を示す計測ラベルを前記計測動作指令が入力された順に並べた計測ラベル列を記憶する計測ラベル一時記憶部と、過去の計測手順を計測ラベルを並べて示す計測手順ラベル、および前記計測手順が過去に実施された計測回数を保存する計測手順ライブラリと、前記計測ラベル一時記憶部に記憶された計測ラベル列を含む前記計測手順ライブラリに保存された全ての計測手順ラベルを抽出するマッチング部と、前記マッチング部が抽出した計測手順ラベルに基づいて、次の計測動作候補に対応する計測ラベルを表示する表示部とを備え、前記次の計測動作に対応する計測ラベルが選択されることにより、前記計測動作指令が入力されることを特徴とする。この構成により、表示部に表示された計測ラベルを選択することにより、計測を行うことができ、計測手順に精通していない者も、熟練者と同じ手順で計測操作することができる。
【０００８】
また、前記次の計測動作に対応する計測ラベルは、前記計測手順ラベルとして前記表示部に表示される構成にすることもできる。この構成により、計測手順を順次確認しながら次の計測を選択することができる。
【０００９】
また、計測終了時に、前記計測ラベル一時記憶部に記憶された計測ラベル列を新たな計測手順ラベルとし、前記新たな計測手順ラベルと同じ計測手順ラベルが、前記計測手順ライブラリに保存されていれば前記計測手順ラベルの計測回数を１増やし、前記計測手順ライブラリに保存されていなければ前記新たな計測手順ラベルを、計測回数を１として保存する構成にすることができる。この構成により、計測の熟練者の計測手順を保存することができる。
【００１０】
また、前記次に行われる計測動作に対応する計測ラベルは、対応する計測手順ラベルの計測回数が多い順に前記表示部に表示される構成にすることもできる。この構成により、計測している計測手順を選択しやすくなり、計測手順の誤りを発見しやすくなる。
【００１１】
また、計測時に前記マッチング部を動作させるか否かを指示するナビゲートキーをさらに備えた構成にすることもできる。この構成により、計測手順のナビゲートの必要、不要の選択が可能となる。
【発明の効果】
【００１２】
本発明によれば、計測操作に精通していない者が操作する場合に、計測を支援する超音波診断装置を提供することができる。
【発明を実施するための最良の形態】
【００１３】
図１は、本発明の実施の形態に係る超音波診断装置の一構成例を示すブロック図である。操作卓１は、操作者が計測を行うために、計測動作指令を入力するものである。計測制御部２は、被検体に超音波を送受信する超音波探触子、超音波探触子を駆動させる制御信号を生成する駆動信号発生器、および超音波探触子で受信した信号を遅延加算制御し、超音波画像データに変換する画像データ形成部などで構成されている。
【００１４】
計測ラベル一時記憶部３は、操作卓１から入力された計測動作指令の内容を示す計測ラベルを順に並べた計測ラベル列を記憶する。計測手順ライブラリ４は、過去に行われた一連の計測手順の内容を計測ラベルを並べて示す計測手順ラベル、および計測手順が過去に実施された計測回数を保存する。また、計測後に、計測ラベル一時記憶部３に記憶された計測ラベル列を新たな計測手順として、その計測手順の計測回数と関連させて保存する。
【００１５】
図２は、計測手順ライブラリ４の記憶フォーマットを示す図である。計測手順ライブラリ４には、計測ラベルＡ、Ｂ、Ｄからなる計測手順ラベルに対して１０回、Ａ、Ｂ、Ｃ、Ｄからなる計測手順ラベルに対して７回、のように過去に実施された計測手順ラベルとその計測手順による計測回数が保存されている。
【００１６】
マッチング部５は、計測時に、計測中の計測ラベル列に基づいて、計測手順ライブラリ４からその計測ラベル列を含む計測手順ラベルを抽出する。表示部６は、計測制御部２からの超音波画像データを超音波画像として表示し、マッチング部５からの検索された全ての計測手順ラベルを表示する。なお、計測手順ラベルを表示する代わりに、検索された計測手順ラベルに基づいて、計測ラベル列の次にくる計測ラベルを表示する構成にすることもできる。
【００１７】
図３は、計測ラベル一時記憶部３に計測ラベル列が記憶される工程、およびその際の計測ラベル一時記憶部３に記憶された計測ラベル列を示す流れ図である。まず、操作卓１により計測ラベルＡが選択され、計測ラベルが記憶される（ステップＳ１０１）。次に、計測ラベルＢが選択され、計測ラベルＢが計測ラベル列Ａ７ａの後に記憶される（ステップＳ１０２）。次に、計測ラベルＣが選択され、計測ラベルＣが計測ラベル列ＡＢ７ｂの後に記憶される（ステップＳ１０３）そして、計測モードが終了する（ステップＳ１０４）。計測モードが終了すると、計測ラベル列ＡＢＣ７ｃが１つの計測手順ラベルとして、次に述べる計測手順ライブラリ４に保存される。以上のように、計測ラベル一時記憶部３に、操作卓１から入力された計測動作指令を示す計測ラベルを順に記憶する。
【００１８】
次に、以上のような構成の超音波診断装置について、その動作を説明する。図４は、ナビゲート動作の流れ図、およびその際の表示部６に表示された画面を示す図である。まず、操作者により操作卓１のナビゲートキーが押下され、計測を開始する（ステップＳ１１１）。次に、計測キー（図示せず）が押下されると、計測モードへ移る（ステップＳ１１２）。計測モードへ移ると、マッチング部５は、計測ライブラリ４に保存されている計測手順ラベルの最初の計測ラベル（開始ラベル）８をすべて表示部６に表示させる。次に、例えば、操作者が開始ラベル“Ａ”を選択すると、計測ラベル一時記憶部３は開始ラベル“Ａ”を保存し、計測制御部２は、操作者の計測動作指令に基づき計測動作“Ａ”を行う（ステップＳ１１３）。そして、マッチング部５は、計測手順ライブラリ４から開始ラベルが“Ａ”である計測手順ラベルを抽出し、計測回数が多い順にすべて表示する。
【００１９】
次に、操作者が、開始ラベル“Ａ”の次に計測ラベル“Ｂ”を選択すると、計測ラベル一時記憶部３は計測ラベル列として“ＡＢ”を保存し、計測制御部２は、操作者の計測動作指令に基づき計測動作“Ｂ”を行う（ステップＳ１１４）。そして、計測手順ラベルの最初に“Ａ”次に“Ｂ”である計測手順ラベルをすべて表示する。さらに、表示された計測ラベルを選択し、計測動作を行い、これを繰り返す。
【００２０】
計測が終了すると、計測ラベル一時記憶部３は、記憶された計測ラベル列を新たな計測手順ラベルとして計測手順ライブラリ４に保存する。計測手順ライブラリには図２に示すように、計測手順ラベルが計測回数とともに記録されているので、新たな計測手順ラベルを、すでに存在している計測手順ラベルと比較し、同一のものがあればその計測手順ラベルの計測回数を１足す。同一の計測手順ラベルがない場合には、計測回数を１回として新たな計測手順ラベルとして保存する。記録容量の限界により新たに保存することができない場合は、計測回数が最も低い計測手順ラベルの中で最も過去に記憶された計測手順ラベルを削除した後に、新たな計測手順ラベルを保存する。
【００２１】
以上のように本発明の超音波診断装置は、計測手順ライブラリ４に保存された計測手順ラベルに基づいて、次の計測動作の候補を表示することにより、計測手順に精通していない操作者に対して、計測の支援を行うことができる。
【００２２】
なお、図５のように、計測手順ライブラリ４に保存されているデータを表示し、計測手順ライブラリに誤って登録された計測手順ラベル９を削除し、あるいは計測回数１０を変更することができるようにしてもよい。また、起動時、あるいはナビゲートキー押下時に計測手順ライブラリ４のデータを表示するように設定することも可能である。
【産業上の利用可能性】
【００２３】
本発明の超音波診断装置は、部位計測時において、計測の支援を行うことが可能であり、医療分野、特に超音波診断において利用可能である。
【図面の簡単な説明】
【００２４】
【図１】本発明の実施の形態に係る超音波診断装置のブロック図
【図２】同上超音波診断装置の計測手順ライブラリの保存フォーマットを示す図
【図３】同上超音波診断装置の計測ラベル一時記憶装置の記憶工程を示す流れ図
【図４】同上超音波診断装置の計測ナビゲート動作を示す流れ図
【図５】同上超音波診断装置の計測手順ライブラリの変更画面を示す図
【図６】従来の超音波診断装置を示すブロック図
【図７】従来の超音波診断装置の表示部を示す図
【符号の説明】
【００２５】
１  操作卓
２  計測制御部
３  計測ラベル一時記憶部
４  計測手順ライブラリ
５  マッチング部
６  表示部
７  計測ラベル
７ａ  計測ラベル列Ａ
７ｂ  計測ラベル列ＡＢ
７ｃ  計測ラベル列ＡＢＣ
８  開始ラベル
９  計測手順
１０  計測回数
【図１】
2007167303.tif 000003
【図２】
2007167303.tif 000004
【図３】
2007167303.tif 000005
【図４】
2007167303.tif 000006
【図５】
2007167303.tif 000007
【図６】
2007167303.tif 000008
【図７】
2007167303.tif 000009